(57)【要約】【課題】  コネクタ形状の異なる複数の携帯電子機器の充電を行える携帯電子機器用充電器を提供する。【解決手段】  携帯電子機器のコネクタに接続部３を接続して、携帯電子機器を充電する携帯電子機器用充電器であって、前記接続部３が、嵌合形状の異なる接続コネクタ１１、１２、１３、１４を２個以上有する。接続部３が、周面に所定の間隔を隔てて接続コネクタ１１、１２、１３、１４を有する円盤状に形成される。この接続部３が、各接続コネクタ１１、１２、１３、１４を充電を行える各嵌合位置に位置決めし得るべく充電器本体２に回転可能に取り付けられている。【選択図】  図１
2005045989.tif 000002
【特許請求の範囲】
【請求項１】
携帯電子機器のコネクタに接続部を接続して、携帯電子機器を充電する携帯電子機器用充電器であって、前記接続部が、嵌合形状の異なる接続コネクタを２個以上有することを特徴とする携帯電子機器用充電器。
【請求項２】
前記充電を行う携帯電子機器に応じて出力電流及び／又は出力電圧をその携帯電子機器の充電許容電流及び／又は充電許容電圧に調節する回路部を設けた請求項１に記載の携帯電子機器用充電器。
【請求項３】
前記回路部が、前記出力電流及び／又は出力電圧が充電を行う携帯電子機器の充電許容電流及び／又は充電許容電圧以外のときその充電許容電流及び／又は充電許容電圧に調節する調節回路を有する請求項２項に記載の携帯電子機器用充電器。
【請求項４】
前記接続部が、周面に所定の間隔を隔てて前記２個以上の接続コネクタを有する円盤状に形成され、該接続部が、各接続コネクタを充電を行える各嵌合位置に位置決めし得るべく充電器本体に回転可能に取り付けられている請求項１乃至３のいずれか１項に記載の携帯電子機器用充電器。
【請求項５】
前記接続部を前記各嵌合位置にそれぞれ固定する固定手段を設けた請求項４に記載の携帯電子機器用充電器。
【請求項６】
前記接続部が、前記２個以上の接続コネクタをそれぞれ充電を行う各嵌合位置に位置決めし得るべ充電器本体に着脱可能に取り付けられている請求項１乃至３のいずれか１項に記載の携帯電子機器用充電器。
【請求項７】
前記回路部が、前記嵌合位置に位置決めされた接続コネクタに応じて出力電流及び／又は出力電圧を調節する電流電圧回路を有する請求項４乃至６のいずれか１項に記載の携帯電子機器用充電器。
【請求項８】
前記接続コネクタの少なくとも１つが、携帯電話機のインターフェイスコネクタに嵌合されて電気的に接続されるコネクタである請求項１乃至７のいずれか１項に記載の携帯電子機器用充電器。
【請求項９】
前記接続部に、前記接続コネクタが２個、３個又は４個設けられている請求項１乃至８のいずれか１項に記載の携帯電子機器用充電器。
【発明の詳細な説明】
【発明の詳細な説明】
【技術分野】
【０００１】  本発明は、コネクタ形状の異なる複数の携帯電子機器の充電を行える携帯電子機器用充電器に関するものである。
【背景技術】
【０００２】  携帯電子機器例えば携帯電話器は、電源としてリチウム電池やニッカド電池などの二次電池である充電可能な電池（バッテリー）を内蔵している。電池切れの場合には、通常、付属している充電器（専用充電器）を用いて商用電源（ＡＣ電源）等から内蔵電池の充電を行っている。【０００３】  専用充電器は、携帯することを前提にするものではなく、自宅等の建物の所定の場所に置いて使用するものであり、携帯に適さず、しかも、商用電源がない場所では役に立たない。このため、内蔵電池の残量が少なくなると、予め専用充電器を用いて充電を行なう必要があるが、常に残量を気にするわけではない。残量が少ない状態や電池切れの状態のまま外出することもあり、外出時、電池切れが起こり携帯電話機を使用することができなくなってしまうことがある。特に、近年、内蔵電池は、１回の充電で長時間の使用が可能になってきているので、残量を気にする頻度が少なくなり、外出時、電池切れを起こすことが多くなると思われる。【０００４】  このため、外出先でも携帯電話機の内蔵電池の充電を行える携帯電話機用充電器がいくつか知られている。この携帯電話機用充電器としては、例えば、市販の単３型乾電池を用いて行える携帯電話機用外付け電池ケース（例えば、特許文献１参照。）や、簡単に内蔵電池の充電を行え、携帯性に優れた携帯電話機用外付け電池ケースが提案されている。【０００５】  この携帯電話機用外付け電池ケースは、市販の乾電池である単３型乾電池３本を交換可能に収容する電池収容部を有する本体と、その電池収容部の開口部を開閉する蓋と、本体に取り付けられ、単３型乾電池を直列接続する接続端子と、本体に固定され、携帯電話機のインターフェイスコネクタに嵌合される接続コネクタと、その接続コネクタに取り付けられ、携帯電話機のインターフェイスコネクタに電気的に接続される接触端子と、その接触端子と接続端子とを接続する接続部材と、を備えたものである。この携帯電話機用外付け電池ケースの本体に単３型乾電池３本を収容してから、接続コネクタを携帯電話機のインターフェイスコネクタに嵌合することで、接触端子とインターフェイスコネクタとが電気的に接続されて、直列接続された３本の乾電池によって携帯電話機の内蔵電池が充電される。【０００６】
【特許文献１】        実用新案登録第３０５０００６号公報
【発明が解決しようとする課題】
【０００７】  ところで、前述の携帯電話機用充電器（携帯電話機用外付け電池ケース）は、３本の単３型乾電池を本体に収容し、収容後、接続コネクタを携帯電話機のインターフェイスコネクタに嵌合接続することにより、携帯電話機の内蔵電池の充電を行うことができる。
【０００８】  専用充電器の接続コネクタは、同一機種でも他のメーカーの携帯電話機に接続することができないように形成されている。また、携帯電話機用充電器の接続コネクタは、市販されている多くの携帯電話機に対応することができるものであればよいが、携帯電話機のインターフェイスコネクタの形状（嵌合形状）が異なる場合には接続することができない。
【０００９】  すなわち、例えば、市販されている携帯電話機の多くは、ＰＤＣ（Ｐｅｒｓｏｎａｌ  Ｄｉｇｉｔａｌ  Ｃｅｌｌｕｌａｒｓｙｓｔｅｍ：デジタル携帯電話）とＣＤＭＡ（Ｃｏｄｅ  Ｄｉｖｉｓｉｏｎ  Ｍｕｌｔｉｐｌｅ  Ａｃｃｅｓｓ：符号分割多重接続）との２つの方式を利用したものであり、ＰＤＣ方式を利用した携帯電話機とＣＤＭＡ方式を利用した携帯電話機とではインターフェイスコネクタの嵌合形状が異なる。携帯電話機用充電器の接続コネクタの嵌合形状は、どちらか一方の方式の（特定の）携帯電話機のインターフェイスコネクタに嵌合するように形成されていると、嵌合形状が異なる他の携帯電話機のインターフェイスコネクタに挿嵌することができない。つまり、携帯電話機用充電器は、嵌合形状が異なる他の携帯電話機の充電を行うことができない。なお、同一の方式を利用した携帯電話機では、メーカーによってインターフェイスコネクタは多少の形状の違いがあるが、これは１つの形状の接続コネクタで対応可能であるので、その場合には、インターフェイスコネクタの形状が同一とする。
【００１０】  このため、携帯電話機用充電器としては、例えば、大きく分ると、ＰＤＣ方式を利用した携帯電話機用のものと、ＣＤＭＡ方式を利用した携帯電話機用のものとの２種類のものが必要になり、２種類が販売されていると間違って別の種類の充電器を購入することもあり得る。その場合には、嵌合形状が合わず携帯電話機の充電を行えないので、無駄になってしまう。
また、携帯電話機に限らず他の携帯電子機器の充電も行いたい。
【００１１】  そこで、本発明は、このような実情に鑑みなされたものであり、その目的は、コネクタ形状の異なる複数の携帯電子機器の充電を行える携帯電子機器用充電器を提供することにある。
【課題を解決するための手段】
【００１２】  前記目的を達成するために、本発明の携帯電子機器用充電器は、携帯電子機器のコネクタに接続部を接続して、携帯電子機器を充電する携帯電子機器用充電器であって、前記接続部が、嵌合形状の異なる接続コネクタを２個以上有するものである。
【００１３】  前記充電を行う携帯電子機器に応じて出力電流及び／又は出力電圧をその携帯電子機器の充電許容電流及び／又は充電許容電圧に調節する回路部を設けることが好ましい。
前記回路部が、前記出力電流及び／又は出力電圧が充電を行う携帯電子機器の充電許容電流及び／又は充電許容電圧以外のときその出力電流及び充電許容電圧に調節する調節回路を有することが好ましい。
【００１３】  前記接続部が、周面に所定の間隔を隔てて前記２個以上の接続コネクタを有する円盤状に形成され、該接続部が、各接続コネクタを充電を行える各嵌合位置に位置決めし得るべく充電器本体に回転可能に取り付けられていることが好ましい。
前記接続部を前記各嵌合位置にそれぞれ固定する固定手段を設けることが好ましい。
前記接続部が、前記２個以上の接続コネクタをそれぞれ充電を行う各嵌合位置に位置決めし得るべ充電器本体に着脱可能に取り付けられていることが好ましい。
前記回路部が、前記嵌合位置に位置決めされた接続コネクタに応じて出力電流及び／又は出力電圧を調節する電流電圧回路を有することが好ましい。
【００１３】  前記接続コネクタの少なくとも１つが、携帯電話機のインターフェイスコネクタに嵌合されて電気的に接続されるコネクタであることが好ましい。
前記接続部に、前記接続コネクタが２個、３個又は４個設けられていることが好ましい。
【発明を実施するための最良の形態】
【００１４】  以下、本発明の実施の形態を添付図面に基づいて詳述する。
図１乃至図３は本発明の第１の携帯電子機器用充電器が示されている図である。図１乃至図３において、１は携帯電子機器用充電器を示し、この携帯電子機器用充電器１は、コネクタ形状の異なる複数の携帯電子機器（図示せず）に電気的に接続されて携帯電子機器を充電するものである。【００１５】  携帯電子機器としては、例えば携帯電話機、携帯情報端末（ＰＤＡ）、モバイルパソコン等の携帯パソコン、携帯ゲーム機、デジタルカメラなどのカメラ等が挙げられる。本発明においてコネクタ形状の異なる複数の携帯電子機器とは、充電を行うコネクタの形状が異なる携帯電子機器のことであり、同一機種でもコネクタの形状が異なる場合にはコネクタの形状が異なる毎に１つの携帯電子機器とする。【００１６】  例えば、携帯電話機を例に挙げて説明すると、携帯電話機には、通信データの送受信や内蔵されている充電可能な内蔵電池（バッテリー）の充電等を行えるようにインターフェイスコネクタが設けられている。インターフェイスコネクタは、メス型のコネクタであり、その形状は、携帯電話機が利用する方式によって異なる。携帯電話機の主な方式は、ＰＤＣ（Ｐｅｒｓｏｎａｌ  Ｄｉｇｉｔａｌ  Ｃｅｌｌｕｌａｒｓｙｓｔｅｍ：デジタル携帯電話）とＣＤＭＡ（Ｃｏｄｅ  Ｄｉｖｉｓｉｏｎ  Ｍｕｌｔｉｐｌｅ  Ａｃｃｅｓｓ：符号分割多重接続）との２つがあり、この２つの方式を利用した携帯電話機のコネクタは嵌合形状が異なり、これら両コネクタに嵌合するコネクタはない。なお、嵌合形状の異なるインターフェイスコネクタとしては、他にも例えばＰＨＳに用いられているコネクタ等がある。また、同一の方式を利用した携帯電話機では、メーカーによってインターフェイスコネクタは多少の形状の違いがあるが、これは１つの形状の接続コネクタで対応可能であるので、その場合には、インターフェイスコネクタの形状が同一とする。【００１７】  本発明の携帯電子機器用充電器１は、携帯電子機器のコネクタに接続される接続部３が、嵌合形状の異なる２個以上のコネクタにそれぞれ個別に電気的に接続される２個以上の接続コネクタを有するものである。
接続部は、円盤状、三角形、矩形、多角形、楕円形等の盤状、球体状、四面体、直方体等の他面体状等どのように形成してもよく、例えば、円盤状に形成される。【００１８】  この円盤状の接続部３の周面に、２個以上（図示例では４個、２個、３個）の接続コネクタ１１、１２、１３、１４が所定の間隔を隔てて設けられている。接続コネクタの数は、２個以上であれば特に限定されないが、例えば、４個、２個又は３個である。
具体的には例えば、図１に示すように、接続部３の周面に、９０°の間隔を隔てて４つの接続コネクタ１１、１２、１３、１４が設けられている。また、図２に示すように、接続部３の周面に１８０°の間隔を隔てて２個の接続コネクタ１１、１２が設けられている。また、図３に示すように、接続部３の周面に１２０°の間隔を隔てて３つの接続コネクタ１１、１２、１３が設けられている。【００１９】  接続コネクタ１１、１２、１３、１４の形状は、それぞれ個別に嵌合形状の異なる携帯電子機器のコネクタ（メス型コネクタ）に嵌合し得る形状（オス型形状）に形成されている。
これら接続コネクタ（オス型コネクタ）１１、１２、１３、１４の少なくとも１つは、携帯電話機のインターフェイスコネクタに挿入されて嵌合されるコネクタであることが好ましい。【００２０】  具体的には例えば、第１接続コネクタ１１は、ＰＤＣ方式を利用した携帯電話機のインターフェイスコネクタ（ＰＤＣインターフェイスコネクタ）の嵌合凹部に挿入されて嵌合されるオス型のコネクタであり、断面ほぼ細長の矩形状に形成されている。第１接続コネクタ１１には、ＰＤＣインターフェイスコネクタの端子部が嵌合される端子凹部（図示せず）が設けられている。端子凹部には、第１プラス端子２１と第１マイナス端子２２とが設けられており、端子凹部にＰＤＣインターフェイスコネクタの端子部が嵌合されたとき、第１プラス端子２１、第１マイナス端子２２と端子部の内蔵電池の外部出入力端子（給電端子）とが電気的に接続されて、内蔵電池の充電が行われるようになっている。
第１プラス端子２１、第１マイナス端子２２の外部出入力端子と接触する部分には、外部出入力端子との接続が確実に行われるように突部を設けるようにしてもよい。【００２１】  第１接続コネクタ１１の壁部であって幅の長い両壁部（両長壁部）（図示せず）には、ＰＤＣインターフェイスコネクタの嵌合凹部の対応する内壁とそれぞれ嵌合し得るように溝や突条（突出した部分）が複数設けられている。すなわち、第１接続コネクタを嵌合凹部に挿入して嵌合するとき、長壁部を逆に（第１接続コネクタ１１を上下左右を逆に）挿入しようとしても、挿入できないような形状に両長壁部が形成されている。【００２２】  第１接続コネクタ１１には、ＰＤＣインターフェイスコネクタに挿嵌したとき、第１接続コネクタがＰＤＣインターフェイスコネクタから抜け難くする抜出抑制部（図示せず）を設けることが好ましい。
抜出抑制部は、どのように構成してもよく、例えば、第１接続コネクタの残りの両壁部（両短壁部）に、ＰＤＣインターフェイスコネクタの嵌合凹部を形成する内壁又は内壁に設けられた係合部と係合して第１接続コネクタ１１を係止する係止部をそれぞれ一体的に又は個別に設けて構成するようにしてもよい。【００２３】  一体的に設けられる係止部としては、嵌合方向に沿って延在すると共に、短壁部内に可撓可能に形成される。係止部の外表面には、例えば断面ほぼ半円形状の突部（係合突部）が設けられ、この突部が嵌合凹部の内壁の係合部（図示せず）と係合し、第１接続コネクタ１１がインターフェイスコネクタから抜け難くなる。【００２４】  抜出抑制部としては、係止部を設けて構成してもよいが、第１接続コネクタ１１の両短壁部に、第１接続コネクタ１１の延在方向に沿って延在し、端子凹部に連通されるスリットを設けて構成してもよい。この場合、第１接続コネクタ１１の長壁部の幅（長壁部の外表面の幅）は、対応する嵌合凹部の長内壁の幅より大きく、好ましくは少し大きく形成することがよい。
スリットは、第１接続コネクタ１１の長壁部の幅を弾性変形により短くするものであり、スリットの幅は、長壁部の幅を弾性変形により嵌合凹部の長内壁の幅以下にする範囲から任意に決められる。【００２５】  第２接続コネクタ１２は、例えば、ＣＤＭＡ方式を利用した携帯電話機のインターフェイスコネクタ（ＣＤＭＡインターフェイスコネクタ）の嵌合凹部に挿入されて嵌合されるオス型のコネクタであり、断面ほぼ細長の矩形状に形成されている。第２接続コネクタ１２には、ＣＤＭＡインターフェイスコネクタの端子部が嵌合される端子凹部（図示せず）が設けられている。端子凹部には、第２プラス端子２３と第２マイナス端子２４とが設けられており、端子凹部にＣＤＭＡインターフェイスコネクタの端子部が嵌合されたとき、第２プラス端子２３、第２マイナス端子２４と端子部の内蔵電池の外部出入力端子（給電端子）とが電気的に接続されて、内蔵電池の充電が行われるようになっている。
第２プラス端子２３、第２マイナス端子２４の外部出入力端子と接触する部分には、外部出入力端子との接続が確実に行われるように突部を設けるようにしてもよい。【００２６】  第２接続コネクタ１２の壁部であって幅の長い両壁部（両長壁部）には、ＣＤＭＡインターフェイスコネクタの嵌合凹部の対応する内壁とそれぞれ嵌合し得るように溝等が設けられている。すなわち、第２接続コネクタ１２を嵌合凹部に挿入して嵌合するとき、長壁部を逆に（第２接続コネクタ１２を上下左右を逆に）挿入しようとしても、挿入できないような形状に両長壁部が形成されている。
第２接続コネクタ１２には、ＣＤＭＡインターフェイスコネクタに挿嵌したとき、第２接続コネクタ１２がＣＤＭＡインターフェイスコネクタから抜け難くする抜出抑制部（図示せず）を設けることが好ましい。【００２７】  第３接続コネクタ１３は、例えば、デジタルカメラのコネクタの嵌合凹部に挿入されて嵌合されるオス型のコネクタであり、断面ほぼ細長の矩形状に形成されている。第３接続コネクタ１３には、第３プラス端子２５と第３マイナス端子２６とが設けられており、デジタルカメラのコネクタに嵌合されたとき、第３プラス端子２５、第３マイナス端子２６とデジタルカメラのコネクタの内蔵電池の外部出入力端子（給電端子）とが電気的に接続されて、内蔵電池の充電が行われるようになっている。【００２８】  第３プラス端子２５、第３マイナス端子２６の外部出入力端子と接触する部分には、外部出入力端子との接続が確実に行われるように突部を設けるようにしてもよい。
第３接続コネクタ１３には、デジタルカメラのコネクタに挿嵌したとき、第３接続コネクタ１３がデジタルカメラのコネクタから抜け難くする抜出抑制部（図示せず）を設けることが好ましい。【００２９】  第４接続コネクタ１４は、例えば、携帯ゲーム機のコネクタの嵌合凹部に挿入されて嵌合されるオス型のコネクタであり、断面ほぼ細長の矩形状に形成されている。第４接続コネクタ１４には、第３プラス端子２７と第４マイナス端子２８とが設けられており、携帯ゲーム機のコネクタに嵌合されたとき、第４プラス端子２７、第４マイナス端子２８と携帯ゲーム機のコネクタの内蔵電池の外部出入力端子（給電端子）とが電気的に接続されて、内蔵電池の充電が行われるようになっている。【００３０】  第４プラス端子２７、第４マイナス端子２８の外部出入力端子と接触する部分には、外部出入力端子との接続が確実に行われるように突部を設けるようにしてもよい。
第４接続コネクタ１４には、携帯ゲー厶機のコネクタに挿嵌したとき、第４接続コネクタ１４が携帯ゲーム機のコネクタから抜け難くする抜出抑制部（図示せず）を設けることが好ましい。【００３１】  接続部３は、各接続コネクタ（第１〜第４接続コネクタ）１１、１２、１３、１４をそれぞれ対応するコネクタに嵌合し得る嵌合位置に位置決めし得るべく充電器本体２に取り付けられている。接続部３は、各接続コネクタ１１、１２、１３、１４を嵌合位置に位置決めすることができるならばどのように充電器本体２に取り付けてもよいが、例えば、図示するように、充電器本体２に正逆回転可能に取り付けられている。【００３２】  すなわち、接続部３は、充電器本体２内の一端部近傍に、その一端面から接続部３の周面の一部が露出すると共に、接続部３の軸（中心）を回転軸として正逆回転可能に取り付けられており、接続部３を回動又は回転させることで、それぞれ個別に各接続コネクタ１１、１２、１３、１４を充電器本体２の一端面から突出させた嵌合位置に位置決めして、対応するコネクタに嵌合し得るようになっている。【００００】  また、接続部３を各嵌合位置にそれぞれ固定する固定手段（図示せず）を設けることが好ましい。固定手段は、接続部３を各嵌合位置にそれぞれ固定すると共に接続部３に所定の値以上の回転力を与えると接続部３が回転して所望の嵌合位置に接続部３を位置決めできるならばどのように構成してもよく、例えば、接続部３又は充電器本体２に係合凹部を設けると共に、充電器本体２又は接続部３にその係合凹部（図示せず）と係合して接続部３を各嵌合位置にそれぞれ固定する係合凸部（図示せず）を設けるようにしてもよい。【００３３】  また、接続部３を充電器本体２に着脱自在に取り付けるようにしてもよい。例えば、図４乃至図６に示すように、接続部３の一方の表面に嵌合凸部５１を設けると共に、充電器本体２にその嵌合凸部５１が嵌合されて接続部３を充電器本体２に取り付けるための嵌合凹部５２を設けるようにしてもよい。なお、接続部に嵌合凹部を設けると共に充電器本体２に嵌合凸部を設けるようにしてもよい。【００３４】  嵌合凸部５１及び嵌合凹部５２の形状は、どのような形状であってもよく、例えば、図４に示すように、接続部３の周面に１８０°の間隔を隔てて２個の接続コネクタ１１、１２か設けられている場合には、２個の接続コネクタ１１、１２を結ぶ直線上に沿って細長い形状（矩形状に近い形状）に形成してもよい。【００３５】  また、嵌合凸部５１及び嵌合凹部５２の形状は、図５に示すように、接続部３の周面に１２０°の間隔を隔てて３つの接続コネクタ１１、１２、１３が設けられている場合には、各角部がそれぞれ接続コネクタ１１、１２、１３に相対するように位置される正三角形状に形成してもよい。【００３６】  また、嵌合凸部５１及び嵌合凹部５２の形状は、図６に示すように、接続部３の周面に９０°の間隔を隔てて４つの接続コネクタ１１、１２、１３、１４が設けられている場合には、各辺がそれぞれ接続コネクタ１１、１２、１３、１４に相対するように位置される正方形状に形成してもよい。【００３７】  接続部３には、図１に示すように、円形状のプラス端子３１及び円形状のマイナス��子３２がほぼ同軸上に設けられている。プラス端子３１及びマイナス端子３２には、それぞれ第１〜第４プラス２１、２３、２５、２７端子及び第１〜第４マイナス端子２２、２４、２６、２８が電気的に接続されている。プラス端子３１及びマイナス端子３２は、接続部３が充電器本体２に正逆回転可能に取り付けられたとき、充電器本体２に設けられたプラス接続端子３３及びマイナス接続端子３４に電気的に接触している。プラス接続端子３３及びマイナス接続端子３４は、充電器本体２内に設けられた回路部５に電気的に接続され、この回路部５に給電源６が電気的に接続されている。【００３８】  充電器本体２及び接続部３の材質は、絶縁材料であればどのようなものでもよく、例えばプラスチック等の合成樹脂が用いられる。充電器本体２は、例えば断面ほぼ矩形、ほぼ円形、ほぼ楕円形、ほぼ多角形等の箱状に形成され、具体的には例えば、断面ほぼ矩形の箱状に形成されている。
充電器本体２は、どのように構成してもよく、例えば、給電源６の交換を行えない又は行え難い携帯電子機器用充電池本体でも、給電源６の交換を容易に行える携帯電子機器用外付け電池ケース本体でもどちらでもよい。【００３９】  給電源６は、充電器本体２が携帯電子機器用充電池本体である場合には、例えば市販の電池に用いられている電池用給電源であり、１次電池でも２次電池でもよい。具体的には例えば、給電源６は、１次電池の場合には市販乾電池と同様に使い捨てタイプのもので、例えば市販されている００６Ｐ型（規格番号００６Ｐ型）の９Ｖ乾電池、単１乾電池、単２乾電池、単３乾電池、単４乾電池等に内蔵されている電池セルを１つ又は２個以上収容して直列接続又は／及び並列接続してなるものである。また、給電源６は、２次電池の場合には充電し得るものであればどのようなものでもよい。【００４０】  また、給電源６は、充電器本体２が携帯電子機器用外付け電池ケース本体である場合には、単＊型乾電池等の電池であり、例えば、充電器本体２（携帯電子機器用外付け電池ケース本体）は、単＊型乾電池を１本又は２本以上交換して繰り返し携帯電子機器例えば携帯電話機の内蔵電池の充電を行えるならばどのように構成してもよい。【００４１】  単＊型乾電池としては、市販されている単１乾電池、単２乾電池、単３乾電池、単４乾電池、単５乾電池等の一次電池や、それら一次電池とほぼ同じ形の二次電池である。単＊型乾電池としては、好ましくは、単３乾電池、単４乾電池の一次電池、それら一次電池とほぼ同じ形の二次電池である。
一次電池としては、例えばマンガン電池、アルカリ電池等が使用できる。また、二次電池としては、充電可能な電池であれば特に限定されず、例えば、ニッケル水素電池、ニカド電池等が使用できる。【００４２】  携帯電子機器用外付け電池ケース本体は、単＊型乾電池を交換可能に収容する電池収容部（図示せず）を有すると共に、その電池収容部の開口部を開閉する蓋（図示せず）が着脱自在に取り付けられる。
携帯電子機器用外付け電池ケース本体には、電池収容部に収容される単＊型乾電池を直列接続又は並列接続する接続端子（図示せず）が設けられていると共に、直列接続又は並列接続された電池のプラス極に接続されるプラス端子（図示せず）と、その電池のマイナス極に接続されるマイナス端子（図示せず）とが設けられている。【００４３】  回路部５は、給電源６からの出力電流及び／又は出力電圧を、充電を行う携帯電子機器例えば携帯電話機に応じて出力電流及び／又は出力電圧をその携帯電話機の充電許容電流及び／又は充電許容電圧に調節するものである。
回路部５は、出力電流及び／又は出力電圧が充電を行う携帯電話機の充電許容電流及び／又は充電許容電圧以外のときその充電許容電流及び／又は充電許容電圧に調節する調節回路を有することが好ましい。
調節回路は、具体的には例えば、携帯電話機の内蔵電池の電圧が５．３Ｖである場合には、出力電圧が６．０Ｖ〜６．８Ｖの充電許容電圧以外のときにその６．０Ｖ〜６．８Ｖの充電許容電圧となるようにするものであり、どのように構成してもよい。例えば、調節回路は、ダイオード、抵抗、レギュレータ、昇圧回路等により構成される。【００４４】  また、充電器本体２には、携帯電子機器に接続したときのみ、回路部５に給電源６からの電流が流れ得る状態にするスイッチ手段４０を設けることが好ましい。
スイッチ手段４０は、携帯電子機器例えば携帯電話機の充電を行うときに回路部５に給電源６の電流が流れ得る状態にするようにできるならばどのように構成してもよい。例えば、充電器本体２の側部等にＯＮ・ＯＦＦを切り替える（回路部５への通電を切り替える）切替スイッチを設けるようにしてもよいが、充電を行うときのみに自動的に回路部５に電流が流れ得る状態にするようにすることが好ましい。【００４５】  スイッチ手段４０は、具体的には例えば、各接続コネクタ１１、１２、１３、１４に設けられ、接続コネクタ１１、１２、１３、１４を携帯電子機器のコネクタに挿嵌したとき（接続コネクタ１１、１２、１３、１４をコネクタに電気的に接続したとき）、携帯電子機器から電気信号や電流等が送られるコネクタの端子に電気的に接続される第１〜第４スイッチ端子４１、４２、４３、４４と、これら第１〜第４スイッチ端子４１、４２、４３、４４が電気的に接続され、接続部３にその同軸上に設けられた円形のスイッチ端子４５と、このスイッチ端子４５を回路部５に電気的に接続するスイッチ接続端子４６と、回路部５に設けられ、携帯電子機器からの電気信号等により給電源６からの電流を流れ得る状態に動作させて、携帯電子機器の充電を行えるようにする検知回路とからなる。【００４６】  また、回路部５は、携帯電子機器用外付け電池ケース本体（電池収容部）に収容する単＊型乾電池を並列接続する場合、切替回路を備えることが好ましい。
切替回路は、携帯電子機器用外付け電池ケース本体に収容した２本以上の単＊型乾電池を順に１本ずつ切り替えて携帯電子機器の充電を行うものである。その切替は、充電を行っている途中で行うようにしてもよいが、充電を行っている１本の単＊型乾電池を使い切った後に行う（１本の単＊型乾電池で携帯電子機器の充電が行えなくなるまで行い、その充電が行えなくなったら別の１本の単＊型乾電池で携帯電子機器の充電を行うようにする）ことが好ましい。【００４７】  また、携帯電子機器用外付け電池ケース本体には、本体に収容した単＊型乾電池の携帯電子機器への充電を行えるか否かの状態を表示する表示手段（図示せず）を設けることが好ましい。
表示手段は、各単＊型乾電池の状態を表示することができるならばどのようなものでもよく、例えば、インジケーターやＬＥＤ等が挙げられる。【００４８】  また、回路部５は、接続コネクタ１１、１２、１３、１４が各嵌合位置に位置決めされたとき、嵌合位置に位置決めされた接続コネクタ１１、１２、１３、１４に応じて出力電流及び／又は出力電圧を調節する電流電圧回路を有することが好ましい。【００００】  また、回路部５は、電圧決定回路を備えることが好ましい。
電圧決定回路は、携帯電子機器に電気的に接続され、該携帯電子機器からの信号により充電許容電圧を該携帯電子機器の充電許容電圧にするものである。すなわち、電圧決定回路は、携帯電子機器が製造メーカー、種類によってその充電許容電圧が異なる場合があるため、携帯電子機器に適した充電許容電圧で充電を行うためのものである。【００４９】  さて、この携帯電子機器用充電器１を用いて、例えばＰＤＣ方式を利用した携帯電話機の内蔵電池を充電する場合には、第１接続コネクタ１１がＰＤＣインターフェイスコネクタに嵌合し得る状態であれば、第１接続コネクタ１１をＰＤＣインターフェイスコネクタの嵌合凹部につき合わせる。また、第１接続コネクタ１１がＰＤＣインターフェイスコネクタに嵌合し得る状態でないとき、つまり、第１接続コネクタ１１が充電器本体２内に位置されているときには、接続部３を適宜回動させて、第１接続コネクタ１１を充電器本体２の一端面から突出させる。この第１接続コネクタ１１をＰＤＣインターフェイスコネクタの嵌合凹部につき合わせる。また、接続部３を取り外して第１接続コネクタ１１が嵌合位置になるように接続部３を充電器本体２に取り付ける。取付後、第１接続コネクタ１１をＰＤＣインターフェイスコネクタの嵌合凹部につき合わせる。【００５０】  つき合わせた第１接続コネクタ１１を嵌合凹部内に挿入して（差し込んで）嵌合する。これにより、第１接続コネクタ１１の第１プラス端子２１、第１マイナス端子２２とＰＤＣインターフェイスコネクタの特定のコネクタ端子（内蔵電池の外部出入力端子（給電端子））とが電気的に接続されて、給電源６により携帯電話機の内蔵電池（バッテリー）の充電が行われる。このとき、第１接続コネクタ１１に抜出抑制部を設けることにより、第１接続コネクタ１１がＰＤＣインターフェイスコネクタから抜け出ることなく充電を行える。【００５１】  また、ＣＤＭＡ方式を利用した携帯電話機の内蔵電池を充電する場合には、第２接続コネクタ１２を充電器本体２の一端面から突出させる。この第２接続コネクタ１２をＣＤＭＡインターフェイスコネクタにつき合わせ、第２接続コネクタ１２をＣＤＭＡインターフェイスコネクタ内に挿入して（差し込んで）嵌合する。これにより、給電源６により携帯電話機の内蔵電池（バッテリー）の充電が行われる。【００５２】  また、デジタルカメラを充電する場合には、第３接続コネクタ１３を充電器本体２の一端面から突出させる。この第３接続コネクタ１３をデジタルカメラのコネクタにつき合わせ、第３接続コネクタ１３をコネクタ内に挿入して（差し込んで）嵌合する。これにより、給電源６によりデジタルカメラの充電が行われる。【００５３】  また、携帯ゲーム機を充電する場合には、第４接続コネクタ１４を充電器本体２の一端面から突出させる。この第４接続コネクタ１４を携帯ゲーム機のコネクタにつき合わせ、第４接続コネクタ１４をコネクタ内に挿入して（差し込んで）嵌合する。これにより、給電源６により携帯ゲーム機の充電が行われる。【００５４】  したがって、本発明の携帯電子機器用充電器１は、嵌合形状の異なる例えば４個の接続コネクタ１１、１２、１３、１４を有するため、携帯電子機器のコネクタに応じて対応した接続コネクタ１１、１２、１３、１４を選べることができ、コネクタ形状の異なる複数の携帯電子機器の充電を行えることになる。【００５５】  また、接続部３を各嵌合位置にそれぞれ固定する固定手段を設けることにより、各接続コネクタ１１、１２、１３、１４を嵌合位置にそれぞれ保持（固定）することができ、対応するコネクタへの嵌合を容易に行えるようになる。
【発明の効果】
【００５６】  コネクタ形状の異なる複数の携帯電子機器の充電を行える携帯電子機器用充電器が得られる。
【図面の簡単な説明】
【図１】本発明の第１の携帯電子機器用充電器を示す概略構成図である。
【図２】本発明の第１の携帯電子機器用充電器の変形例を示す概略構成図である。
【図３】本発明の第１の携帯電子機器用充電器の変形例を示す概略構成図である。
【図４】本発明の第２の携帯電子機器用充電器を示す概略構成図である。
【図５】本発明の第２の携帯電子機器用充電器の変形例を示す概略構成図である。
【図６】本発明の第２の携帯電子機器用充電器の変形例を示す概略構成図である。
【符号の説明】
１    携帯電子機器用充電器
２    充電器本体
３    接続部
１１  第１接続コネクタ
１２  第２接続コネクタ
１３  第３接続コネクタ
１４  第４接続コネクタ
【図１】
2005045989.tif 000003
【図２】
2005045989.tif 000004
【図３】
2005045989.tif 000005
【図４】
2005045989.tif 000006
【図５】
2005045989.tif 000007
【図６】
2005045989.tif 000008